(57)【要約】      （修正有）【課題】専用風防を用いずに車両への脱着を可能にし、車体と接触する箇所の傷を軽減させ、本体のバタつきとめくり上がりを抑える暴風雨前照灯盾を提供する。【解決手段】車両の前照灯を本体１の前照灯孔３に通した後、前照灯抱き込み鍔７で抱き込み、前照灯締付部で固定する。車体連結具１９Ｌ・１９Ｒに紐状の物品を通して専用の風防を介することなく車体の任意の位置に固定する。方向指示器を本体で覆い隠さないよう、方向指示器孔４Ｌ・４Ｒに方向指示器を通し、方向指示器保持リングと方向指示器伸縮リング１６Ｌ・１６Ｒにて保持する。摩擦による傷付きを軽減する為に車体と接触する箇所に繊維や化繊を取り付けて摩擦抵抗を軽減し、車体や塗装面を保護する。形状保持材挿入ポケット２０Ｌ・２０Ｒに形状保持材を挿入して走行時のバタつきや、めくり上がりを防止する。【選択図】図２
0003226385.tif 000002
【実用新案登録請求の範囲】
【請求項１】
前照灯部に取り付けて風や雨などを防ぐ自動二輪車の防風雨装備において、中央部に貫通している前照灯孔を有する本体を備え、前記前照灯孔の縁に沿って前照灯抱き込み鍔が突設され、前記前照灯抱き込み鍔を締め付ける為の締め付け部が設けられ、前記本体の左右上端部に車体連結具を備えることを特徴とする防風雨前照灯盾。
【請求項２】
前記前照灯孔の左右に貫通している方向指示器孔を有し、前記本体正面の前記方向指示器孔の縁に沿って方向指示器保持リングが設けられ、前記本体背面の前記方向指示器孔の縁に沿って密接保持させる為の方向指示器伸縮リングが設けられ、前記方向指示器伸縮リングの内径は前記方向指示器保持リング内径よりも小さいこと特徴とする請求項１に記載の防風雨前照灯盾。
【請求項３】
前記前照灯抱き込み鍔に前照灯部傷防止繊維を着脱可能に設けられることを特徴とする請求項１又は２に記載の防風雨前照灯盾。
【請求項４】
前記本体背面下部に本体下部用傷防止繊維を着脱可能に設けられることを特徴とする請求項１から請求項３までのいずれか１項に記載の防風雨前照灯盾。
【請求項５】
前記本体背面の本体端部に形状保持材挿入ポケットを設けることを特徴とする請求項１から請求項４までのいずれか１項に記載の防風雨前照灯盾。
【考案の詳細な説明】
【技術分野】
【０００１】  本考案は自動二輪車の前照灯部に取り付ける防風雨装備に関するものである。
【背景技術】
【０００２】  従来品は風防（ウインドシールド）の下部に取り付け、垂れ下げて使用する。（例えば特許文献１参照）また、従来品は風防と前垂れが組となって販売されており専用の風防が必要である。（例えば非特許文献１参照）
【先行技術文献】
【特許文献】
【０００３】
【特許文献１】実全昭５５−１１０３８  明細書２  実用新案登録請求の範囲
【０００４】
【非特許文献１】株式会社ホンダモーターサイクルジャパン  Ｃｕｓｔｏｍｉｚｅ  Ｐａｒｔｓ  Ｃａｔａｌｏｇ  ＳｕｐｅｒＣｕｂ  スーパーカブ５０／スーパーカブ１１０／スーパーカブ５０プロ／スーパーカブ１１０プロ２０１９年１０月
【考案の概要】
【考案が解決しようとする課題】
【０００５】  従来品は車両に前垂れを取り付ける場合には前垂れが予め取付出来るように設計された専用の風防（ウインドシールド）が必要で、すでに前垂れ無し風防（ウインドシールド）を取り付けている車両に前垂れの機能を追加する場合には新たに前垂れ付きの風防（ウインドシールド）を購入し交換する必要があり、今まで取り付けられていた損傷も無く、機能も損なっていない前垂れ無し風防（ウインドシールド）まで交換する事になる為に無駄なコストが掛かり、また、風防のメーカーや形状を選択する余地が無かった。【０００６】  また、従来品は車体に取り付けた時に前垂れと車体が接触する箇所の対策がなされておらず摩擦により起こる傷から車体や塗装面を保護する機能が備わっていなかった。【０００７】  また、従来品は形状を保持するための機能が備わっておらず走行風によるバタつきや、めくり上がりが発生していた。
【課題を解決するための手段】
【０００８】  上記目的を達成するために請求項１に係わる考案は、車両の前照灯部を本体の前照灯孔に通した後、前照灯抱き込み鍔で抱き込むように保持し、締付部で前照灯抱き込み鍔を締め付けて前照灯部に固定する。本考案品でいう締付部とは面ファスナー、ボタン、ホック、バックル、マグネットなどの２つのもの組み合わせて使用する物品や紐状のベルトやゴムで縛り、前照灯と前照灯抱き込み鍔を密接、保持させる為の留め具を備えたものである。【０００９】  また、車体連結具（１９Ｌ・１９Ｒ）は物品を通せる形状になっており、ここに紐状の物品を通して車体の任意の位置に固定し、前記前照灯抱き込み鍔と併せ車両に取り付けることで専用の風防を介さないで車両に装備させる手段を備える。【００１０】  また、請求項２に係る考案は、車両の意匠によっては方向指示器が前照灯に隣接している場合に本体で覆い隠さないようにする為のものである。【００１１】  また、請求項３と請求項４に係る考案は、摩擦による傷付きを軽減する為に本考案品と車体との接触する箇所に繊維や化繊を取り付けて摩擦抵抗を軽減し、車体や塗装面を保護する為のものである。【００１２】  また、請求項５に係る考案は、走行風によるバタつき、めくり上がりを抑える為のものである。
【考案の効果】
【００１３】  本考案は車両に前垂れを取り付ける場合には前垂れが予め取付出来るように設計された専用の風防（ウインドシールド）が不必要で、すでに前垂れ無し風防（ウインドシールド）を取り付けている車両に前垂れの機能を追加する場合に新たに前垂れ付きの風防（ウインドシールド）を購入し交換する必要が無くなり、今まで取り付けられていた損傷も無く、機能も損なっていない前垂れ無し風防（ウインドシールド）を交換する必要が無くなった事で無駄なコストが掛からず、また、風防のメーカーや形状を選択する事が可能となった。【００１４】  また、本考案品は車両に装備した時、本体と車体が接触する箇所の対策をおこない摩擦により起こる傷から車体や塗装面を保護する機能を備えた。【００１５】  また、本考案品は走行風でのバタ付きや、めくり上がりを抑える為に本体端部に形状保持材挿入ポケットを設けて形状保持材を挿入出来るようにした。
【図面の簡単な説明】
【００１６】
【図１】防風雨前照灯盾の正面側斜視図である。
【図２】防風雨前照灯盾の背面側斜視図である。
【図３】防風雨前照灯盾の右側面図である。
【図４】前照灯部傷防止繊維の正面図である。
【図５】前照灯部傷防止繊維の背面図である。
【図６】本体下部用傷防止繊維の正面図である。
【図７】本体下部用傷防止繊維の背面図である。
【図８】車両方向指示器部の挿入前断面図である。
【図９】車両方向指示器部の挿入後断面図である。
【図１０】車両取り付け時の正面図である。
【考案を実施するための形態】
【００１７】  本考案は取り付ける車両の意匠に合わせ形状の調整を行う必要があるので、下記は図１０の丸形の前照灯３４と、丸形の方向指示器３５Ｌ・３５Ｒと、前照灯下部にエンブレム３６と、を備える車両を一例とし以下図面を参照して実施形態について説明する。
【実施例】
【００１８】  図１の本体１とは取り付ける車両の意匠である丸形の前照灯３４と丸形の左右方向指示器３５Ｌ・３５Ｒに合わせ、上部の形状が３つの円弧２−１、２−２、２−３、からなり円弧２−２の下部に前照灯孔３、円弧２−１の下部に方向指示器孔４Ｌと円弧２−３の下部に方向指示器孔４Ｒがそれぞれ貫通している。【００１９】  また、本体１の下部には本体下部切り欠き１２が設けられおり、この切り欠き部は取り付ける車両の前照灯下部にエンブレム３６や警音器（ホーン）が備わっていた場合にそれを覆い隠さない形状としている。【００２０】  図１の前照灯孔３の縁に沿って前照灯抱き込み鍔７が突設されており、この内側には前照灯部傷防止繊維取付用留め具メス８が取り付けられている。【００２１】  また、前照灯抱き込み鍔７の下部には前照灯締付部９が設けられており留め具Ａ１０が取り付けられている。また、前照灯抱き込み鍔７の右側面には留め具Ｂ１１が取り付けられている。【００２２】  図１の方向指示器孔４Ｌ・４Ｒの縁に沿って方向指示器保持リング５Ｌ・５Ｒが取り付けられている。【００２３】  図２の方向指示器孔４Ｌ・４Ｒの縁に沿って方向指示器伸縮リング１６Ｌ・１６Ｒが取り付けられており、本体１の左右上端部には車体連結具１９Ｌ・１９Ｒが取り付けられている。【００２４】  また、本体１の本体端部１３Ｌ・１３Ｒには形状保持材挿入ポケット２０Ｌ・２０Ｒが取り付けられており、本体下部切り欠き１２の上部には本体下部傷防止繊維取付用留め具メス２１が取り付けられている。【００２５】  図３の前照灯抱き込み鍔７の形状が側面から見た場合に、鍔上部３２より鍔下部３３が短くなっているのは今回の例に挙げた取り付け車両の意匠によるものであり、本考案品を取り付ける車両の前照灯部を好適に抱き込める形状に設定してある。【００２６】  車両への取り付け方法は図１の本体１に貫通している前照灯孔３へ車両の前照灯部を通し、前照灯抱き込み鍔７にて図１０の前照灯３４を抱き込んだ後に図１の締付部９に備えられた留め具Ａ１０と前照灯抱き込み鍔７の右側面に取り付けられた留め具Ｂ１１とを連結する。【００２７】  図８のように車両方向指示器部２９を方向指示器伸縮リング１６Ｒの方向指示器伸縮リング孔１７Ｒから本体１の方向指示器孔４Ｒ、方向指示器保持リング５Ｒの方向指示器保持リング孔６Ｒの順番で通していく。【００２８】  方向指示器伸縮リング孔１７Ｒの径は車両方向指示器部外径３０より小さく作られているが、方向指示器伸縮リング１６Ｒは伸縮性と柔軟さを併せ持ったジャージ素材やスポンジ素材、ウレタン等の化繊を使用し、素材が伸びる事で径の大きい車両方向指示器部２９を通す事ができる。【００２９】  また、方向指示器部２９が方向指示器伸縮リング孔１７Ｒを通過する時に引っ掛かり伸びた部分が車両方向指示器部外径３０より大きい内径で作成された方向指示器保持リング５Ｒとの隙間３１に図９のように伸びて変形した方向指示器伸縮リング１６Ｒが入り込む事で適当な状態で嵌り、密接、保持する事で車両方向指示器部２９にて本考案品を固定する役割の一部を担う。【００３０】  また、図８の方向指示器保持リング孔６Ｒと車両方向指示器部２９とが車両走行時に発生する振動���より起こる衝突から車体と塗装面を守る効果も併せ持つ。左側（Ｌ）も同様にして車両へ取り付けを実施する。【００３１】  図２の車体連結具１９Ｌ・１９Ｒに使用者の用途にあった紐状の物品を通して車両の任意の位置に接続し固定する。【００３２】  指定せずに任意の位置とする理由は使用者により車両のハンドル周りの取付物、例としてカーナビやドライブレコーダー、スマートフォンホルダー、バックミラー等が多種多様で異なる為にそれらの取付物を回避する必要がある為である。【００３３】  各部傷防止装置について説明する。図４の前照灯部傷防止繊維２６及び、図６の本体下部用傷防止繊維２３は摩擦係数の低い化繊や毛足を持つような繊維を使用して作成され、本考案品と車体とが接触する部分の摩擦傷を軽減させる。【００３４】  図５の前照灯部傷防止繊維２６の背面には前照灯部傷防止繊維取付用留め具オス２７が取り付けられており、前照灯部傷防止繊維取付用留め具オス左端部２７−１と図１の前照灯部傷防止繊維取付用留め具メス８の前照灯部傷防止繊維取付用留め具メス左端部２８−１とを合わせ、同様に図５の前照灯部傷防止繊維取付用留め具オス右端部２７−２と図１の前照灯部傷防止繊維取付用留め具メス８の前照灯部傷防止繊維取付用留め具メス右端部２８−２とを合わせて連結させる。【００３５】  図２の本体１下部への傷防止繊維の取付は本体下部傷防止繊維取付用留め具メス２１に図６の本体下部用傷防止繊維２６の背面に取り付けられた図７の本体下部傷防止繊維取付用留め具オス２４とを連結して取り付ける。【００３６】  図２の本体下部傷防止繊維取付用留め具メス左端部２２−１と図７の本体下部傷防止繊維取付用留め具オス左端部２５−１を合わせ、図２の本体下部傷防止繊維取付用留め具メス右端部２２−２と図７の本体下部傷防止繊維取付用留め具オス右端部２５−２とを合わせて連結する。【００３７】  本考案品の形状を維持させる為に図２の形状保持材挿入ポケット２０Ｌ・２０Ｒを設けている。このポケットへ折れ曲がりに強い形状保持材となる、例として針金、木製や樹脂製の棒、またはそれらに類似した保持に適した材質のものをポケットに挿入することにより走行風によるバタつきやめくり上がりを防止し、本考案品の形状を維持する役目を担う。挿入口は閉じられておらずポケット状であるので経年経過により劣化や破損が起きた形状保持材を交換しやすくメンテナンス性を考慮してある。
【産業上の利用可能性】
【００３８】  本考案品は今後、自動二輪車の原動機が完全に電動化された世代に移行したとしてもハンドル周りに前照灯及び方向指示器を備えた車両であれば、原動機の変更に左右される事なく継続して利用していく事が可能である。
【符号の説明】
【００３９】１  本体
２−１  円弧
２−２  円弧
２−３  円弧
３  前照灯孔
４Ｌ・４Ｒ  方向指示器孔
５Ｌ・５Ｒ  方向指示器保持リング
６Ｌ・６Ｒ  方向指示器保持リング孔
７  前照灯抱き込み鍔
８  前照灯部傷防止繊維取付用留め具メス
９  前照灯締付部
１０  留め具Ａ
１１  留め具Ｂ
１２  本体下部切り欠き
１３Ｌ・１３Ｒ  本体端部
１４  前照灯抱き込み鍔取り付け部
１５Ｌ・１５Ｒ  方向指示器保持リング取り付け部
１６Ｌ・１６Ｒ  方向指示器伸縮リング
１７Ｌ・１７Ｒ  方向指示器伸縮リング孔
１８Ｌ・１８Ｒ  方向指示器伸縮リング取り付け部
１９Ｌ・１９Ｒ  車体連結具
２０Ｌ・２０Ｒ  形状保持材挿入ポケット
２１  本体下部傷防止繊維取付用留め具メス
２２−１  本体下部傷防止繊維取付用留め具メス左端部
２２−２  本体下部傷防止繊維取付用留め具メス右端部
２３  本体下部用傷防止繊維
２４  本体下部傷防止繊維取付用留め具オス
２５−１  本体下部傷防止繊維取付用留め具オス左端部
２５−２  本体下部傷防止繊維取付用留め具オス右端部
２６  前照灯部傷防止繊維
２７  前照灯部傷防止繊維取付用留め具オス
２７−１  前照灯部傷防止繊維取付用留め具オス左端部
２７−２  前照灯部傷防止繊維取付用留め具オス右端部
２８−１  前照灯部傷防止繊維取付用留め具メス左端部
２８−２  前照灯部傷防止繊維取付用留め具メス右端部
２９  車両方向指示器部
３０  車両方向指示器部外径
３１  隙間
３２  鍔上部
３３  鍔下部
３４  前照灯
３５Ｌ・３５Ｒ  方向指示器
３６  エンブレム
【図１】
0003226385.tif 000003
【図２】
0003226385.tif 000004
【図３】
0003226385.tif 000005
【図４】
0003226385.tif 000006
【図５】
0003226385.tif 000007
【図６】
0003226385.tif 000008
【図７】
0003226385.tif 000009
【図８】
0003226385.tif 000010
【図９】
0003226385.tif 000011
【図１０】
0003226385.tif 000012